(57)【要約】      （修正有）【課題】５０℃〜８０℃の高温で有効な遠赤外線を放射して、身体内に深達させ身体内の悪性疾患部を検索する温熱治療器を提供する。【解決手段】放射機構は、熱源はセラミックヒータを使用し、放射体は遠赤外線放射塗料板に７０℃〜８０℃の温度を透過し、遠赤外線波長の放出量の半分を占める８μｍ〜９μｍを放射すると身体への深達力を有する、反面、身体内の健康細胞から放射する遠赤外線の半分の波長は、放射体の波長と共振作用を起こし交差しても快適な温度を与えるが、悪性疾患部位から放出している波動と交流すると強烈な熱さの衝撃反応を起こすため、悪性疾患部位が検出される画期的な温熱治療器である。【選択図】図１
0003146098.tif 000002
【実用新案登録請求の範囲】
【請求項１】
本考案は、身体内疾患部位を検索する温熱治療器において、身体皮膚面から放射する放射機構は、セラミックヒータを熱源とし、アルミ板に遠赤外線放射塗料を装着した開口部を有し、放射輝度を７０℃〜８０℃の高温にして、深達力のある遠赤外線熱放出量の半分を占める８μｍ〜９μｍ波長の遠赤外線を、身体内疾患部位に放射させると、悪性疾患部位に遭遇した場合、該悪性疾患部位からは異なる波動を放出しており前記遠赤外線と交流すると、皮膚面に強烈な熱さの衝撃反応を起こすため、悪性疾患部位が検索されてなる温熱治療器。
【請求項２】
前記請求項１の開口部から放射する温度を、放射輝度を５０℃〜８０℃の高温にして有効な遠赤外線熱放出量の半分を占める８μｍ〜９μｍを放射させるため、開口部を全面覆う構成のカバー袋を具備し、該カバー袋にはカーボン塗料を含浸・乾燥させるか又は、袋に炭素系面抵抗体を内設させ、放射熱がカバー袋を通過することにより炭素系面発熱体からの遠赤外線が放射される構成にした温熱治療器。
【請求項３】
前記請求項１又は請求項２の開口部の構成において、中央先端部が突出するように周辺を四面構造にすることで、開口部で皮膚面を回転圧接治療するとき放射面からは拡散放射と屈折放射をもたらすため深達力を促進し、さらに、突端部の圧接治療で指圧効果、針灸効果をもたらしてなる温熱治療器。
【請求項４】
前記請求項１により悪性疾患部が検索された場合は、前記請求項２又は請求項３の温熱治療器の温度を３７℃〜８０℃間で調節し、幾度も繰り返し放射治療することで、初期ガンの消滅、肥大したガン細胞の縮小、転移ガンの防止、ガン細胞の痛みを緩和する効果をもたらしてなる温熱治療器。
【請求項５】
前記請求項１乃至請求項４の温熱治療器において、身体背面部の治療を容易にするため開口部から把持部の一部を屈折させると共に、電源コードの中間部にコントローラーを設け、該コントローラーには  ＯＮ・ＯＦＦ装置、運転時間制御装置、温度制御装置を具備してなる温熱治療器。
【考案の詳細な説明】
【技術分野】
【０００１】    本考案は、５０℃〜８０℃の高温で有効な遠赤外線を放射して、身体内に深達させ身体内の悪性疾患部を検索する装置又は、悪性疾患部に対し３７℃〜８０℃の温熱治療によるガン撲滅効果と共に、鎮痛・緩和をもたらす温熱治療器に関する。
【背景技術】
【０００２】    「熱は病気に有効である」というエジプト言の記録が５，０００年の昔からあります。日本でも「日本ハイバーサーミア学会」が局所温熱療法の成績発表をしています。然し、高温で遠赤外線を放射し、身体内の悪性疾患部位を検索する考案の温熱治療器は未だ見ることはない。
【考案の開示】
【考案が解決しょうとする課題】
【０００３】    昔からインドでも日本でも身体からの熱を手のひらを通し放射治療していた。
人間の健康細胞から放射する熱の５０％は遠赤外線であり、波長は８μｍ〜９μｍを大量に放出している。反面悪性疾患部位からはエネルギーの高い波動を放射している事も判明していた。そこで５０℃〜８０℃の高温で遠赤外線の８μｍ〜９μｍの波長を放射させれば身体内の同一波長と共振作用を起こし、共鳴するが、反撥する波長と遠赤外線と交流すると激烈な反応を示すと判断した。
【課題を解決するための手段】
【０００４】    本案は４μｍ〜５０μｍ範囲の波長を放射する遠赤外線の中でも、身体内に深達力を有する波長範囲は８μｍ〜９μｍが有効で熱放出量は全体の半分を占める。この有効波長を放射する放射体は、現在炭素系面発熱体とセラミックヒータを熱源としセラミック等の遠赤外線放射塗料板しか見当たらない。但し、実測した結果セラミックス系遠赤外線放射塗料は７０℃以上の高温でないと有効波長は出ない事。更に炭素系面発熱体からは５０℃以上の高温が必要であることが判明した。
以下表でもって明示する。表−１は、本案請求項１の如くセラミックヒータを熱源とし、放射体をセラミックス遠赤塗料板を採用し７０℃で放熱させた表である。
表−２は、本案請求項１の放射開口部に炭素系面抵抗袋を覆い５０℃で放熱させる。
【０００５】
【表−１】
0003146098.tif 000003
【０００６】
【表−２】
0003146098.tif 000004
【０００７】    請求項１の放射機構は、熱源はセラミックヒータを使用し、放射体は遠赤外線放射塗料板に７０℃〜８０℃の温度を透過し、遠赤外線波長の放出量の半分を占める８μｍ〜９μｍを放射すると身体に深達力を有する、反面、身体内の健康細胞から放射する遠赤外線の半分の波長は、放射体の波長と共振作用を起こし交差しても快適な温度を与えるが、悪性疾患部位から放出している波動と交流すると強烈な熱さの衝撃反応を起こすため、悪性疾患部位が検出される画期的な温熱治療器である。但し、セラミックヒータを熱源とし、セラミックス遠赤塗料板からの遠赤外線は７０℃以上の温度を透過しないと８μｍ〜９μｍの波長は放射しない（表−１）
【０００８】    請求項２は、請求項１のセラミックヒータを熱源とし、放射輝度を５０℃以上にして深達力のある遠赤波長８μｍ〜９μｍを放射させるため、前記請求項１の開口部にカーボン塗料を含浸・乾燥させた袋又は炭素系抵抗体を袋に内設させたカバー袋を覆い、該袋にセラミックヒータ熱を透過させることにより炭素系遠赤外線放射体が構成され有効波長を放射してなる温熱治療器を提供する。（表−２）
【０００９】    請求項３の遠赤外線放射開口部を、中央先端部が突出するようにし、周辺を四面構造にしたことは重大理由に基づく、この治療は、開口部を皮膚面に圧接し前後左右に回転しながら８μｍ〜９μｍの波長を放射するとき、放射面は拡散放射と屈折放射するので身体内の骨（セラミックス）を外し深達力の促進効果をもたらす上、突端部の圧接治療で指圧効果、針灸効果があり、特に悪性疾患部を検索するには、突端部を圧接させると反応効果の高い温熱治療器が提供できる。
【００１０】    請求項４は、前記請求項１で悪性疾患部位が検索されると、３７℃〜８０℃の遠赤外線放射機構を有する装置として、前記請求項２の治療器で８μｍ〜９μｍの深達力のある遠赤外線治療器を用い、幾度も繰り返し放射治療することで初期ガンの消滅、肥大したガンの縮小、転移ガンの防止、ガン細胞の痛みにたいする緩和効果をもたらしてなる温熱治療器を提供する。
【００１１】    請求項５は、楕円形の開口部で、把持部を長めに多少屈折させ背中部位でも一人で治療できるように軽量構成とした。電源コードの中間位置にコントローラーを設け、コントローラーが具備するＯＮ・ＯＦＦ装置、運転時間制御装置、温度制御装置等を調節操作してなる温熱治療器を提供する。
【考案の効果】
【００１２】    本考案の目的は、温熱治療器を身体皮膚面に接触放射させるだけの簡単な治療器を家庭内の全員が治療出来て、日常不安な箇所を検索し、不審な場合一日も早く精密検査することで早期に疾患腫瘍部位が発見できる画期的な考案として提供する。
「通称ア・チチ検索器とも言う」
更に、早期ガンは幾度も繰り返し放射することで抹消されたり、又は肥大したガンも同様な治療で縮小する。最初は熱く感じる温度も快適な温度に変化したときは効果があった証しである。
【実施例１】
【００１３】  例えば図１は、構造的にはセラミックヒータを熱源とし、放射開口部２は、身体の背面でも圧接できるように多少湾曲にした把持部１が具備され、ＡＢＳ樹脂を用い軽量で長い構成とした。開口部２は、アルミニュム板２ａに遠赤外線放射塗料２ｂを塗布した塗装板で四面構成にし突端部２ｃが設けられている。
前記四面構成は拡散放射と屈曲放射をもたらし深達性を有する。この開口部２からは７０℃の放射温度で８μｍ〜９μｍの有効な遠赤外線が放射される。
この装置の電源ｇまでの中間部にコントローラー３が具備され、ＯＮ・ＯＦＦスイッチ３ｃと運転時間制御装置３ａ、温度制御装置３ｂが設けられている。
【産業上の利用可能性】
【００１４】  現状ガンの発見は健康診断又は人間ドックにより判明されている。ガンの死亡率は４０％と多く、早期発見されれば７０％の確率で助かると言われています。
７０℃〜８０℃の高熱を放射してガン腫瘍部位を検索する装置など想像されていなかった、人体からも静電気、マイクロ波長等の外に遠赤外線の有効波長が５０％放射している事と、ガン細胞からは強力なエネルギーの波動が放射されている事程度の知識はあった。
本案は、身体に深達力をもつ遠赤外線を測定した結果、セラミックス放射体は７０℃〜８０℃の高熱で８μｍ〜９μｍ波長が大量に放射されており、更に炭素系面発熱体からは５０℃以上の温度で８μｍ〜９μｍが放射されていた。
この波長は遠赤外線の熱放出量の半分を占める効果を持ち、深達力を有する。
この波長をガン腫瘍部位からの波動と交流させると皮膚面に強烈な熱さの衝撃があり、ガン腫瘍部位が発見される。医学界にも画期的な治療法として提供する。
【図面の簡単な説明】
【００１５】
【図１】  温熱治療器の斜面図である。
【符号の説明】
【００１６】  １…把持部
２…開口部
２ａ…アルミニュウム
２ｂ…セラミックス塗料
２ｃ…突端部
３…コントローラー
３ａ…運転時間制御
３ｂ…温度制御
３ｃ…スイッチ
ｅ・ｇ…電源コード・差込プラグ
【図１】
0003146098.tif 000005
【手続補正書】
【提出日】平成20年8月7日(2008.8.7)
【手続補正１】
【補正対象書類名】実用新案登録請求の範囲
【補正対象項目名】全文
【補正方法】変更
【補正の内容】
【実用新案登録請求の範囲】
【請求項１】
手動式遠赤外線温熱治療器において、身体皮膚面え放射する遠赤外線放射機構は、器体部にセラミックヒーターが熱源として内蔵されており、特殊形状構造の放射開口部にはアルミ板にセラミック塗料が装着され、温度検出手段を具えた遠赤外線放射体構造とし、内側に屈折した把持部から電源コードが差し込みプラグまで延長され、その中間部に温度制御装置、ＯＮ・ＯＦＦ装置、治療温度標示器を装着したコントローラーとから構成されている温熱治療器。
【請求項２】
前記特殊形状構造の放射開口部は、中央先端部が突出するように周辺を４面で形成した形状をなし、当該放射開口部で皮膚面を前後左右に回転圧接治療することで、放射面からは拡散放射と屈折放射をもたらすため、遠赤外線放射治療の際、放射熱が身体内の人骨を外し、疾患部位に深達放射効果をもたらすと共に、放射開口部の中央突端で圧接治療することで指圧効果と針灸効果をもたらしてなる請求項１の温熱治療器。
【請求項３】
前記セラミック塗料を装着した放射開口部からは、熱源から７０℃以上の放射輝度で遠赤外線放出量の半分を占める８μｍ〜９μｍの波長を放射し、深達力を有するため、身体内疾患部位の検索治療に適し、皮膚面からの遠赤外線の放射が、身体内腫瘍部位の特殊波動と交流しても共振作用を起こさないため、治療皮膚面に強烈な熱さの衝撃反応が生じるため、悪性疾患部位が検出されてなる請求項１又は請求項２の温熱治療器。
【請求項４】
前記セラミック塗料を装着した放射開口部から放射する温度が５０℃以上あれば、深達力のある有効な８μｍ〜９μｍの波長を放射する構成として、放射開口部を全面覆うカバー袋を装着した構造とし、該カバー袋にはカーボン塗料を含浸・乾燥させるか又は袋内に炭素系面抵抗体を内設させ、放射熱がカバー袋を通過することにより炭素系面発熱体からの遠赤外線が放射される組合せにしたことにより、５０℃〜８０℃の温度による悪性疾患部位の検出又は３７℃〜８０℃の温度範囲で幾度も繰り返し放射治療することで疾患腫瘍部位の縮小又は消滅効果をもたらしてなる請求項１又は請求項２の温熱治療器。
【手続補正２】
【補正対象書類名】明細書
【補正対象項目名】全文
【補正方法】変更
【補正の内容】
【考案の詳細な説明】
【技術分野】
【０００１】    本考案は、５０℃〜８０℃の高温で有効な遠赤外線を放射して、身体内に深達させ、身体内の悪性疾患部を検索する装置又は悪性疾患部に対し、３７℃〜８０℃の温熱治療によるガン撲滅効果と共に、鎮痛・緩和をもたらす温熱治療器に関する。
【背景技術】
【０００２】    日本でも「日本ハイバーサーミア学会」が局所温熱療法の成績発表をしています。然し、高温で遠赤外線を放射し、身体内の悪性疾患部位を検索する考案の温熱治療器は未だない。
【考案の開示】
【考案が解決しょうとする課題】
【０００３】    人間の健康細胞から放射する熱の５０％は遠赤外線であり、波長は８μｍ〜９μｍを大量に放出している。反面、悪性疾患部位からはエネルギーの高い波動を放射している事も判明していた。そこで５０℃〜８０℃の高温で遠赤外線の８μｍ〜９μｍの波長を放射させれば身体内の同一波長と共振作用を起こし共鳴するが、反撥する波長と遠赤外線とが交流すると激烈な反応を示すと判断された。
【課題を解決するための手段】
【０００４】      本案は４μｍ〜５０μｍ範囲の波長を放射する遠赤外線の中でも、身体内に深達力を有する波長範囲は８μｍ〜９μｍが有効で熱放出量は全体の半分を占める。この有効波長を放射する放射体は、現在炭素系面発熱体とセラミックヒータを熱源としたセラミック等の遠赤外線放射塗料板が適応する。但し、実測した結果セラミック系遠赤外線放射塗料は７０℃以上の高温でないと有効波長はでない事。更に炭素系面発熱体からは５０℃以上の高温が必要であることが判明した。以下表でもって明示する。表ー１は本案請求項３の如くセラミックヒーターを熱源とし、放射体をセラミックス遠赤外線塗料板を採用し７０℃で放熱させた表である。表ー２は、本案請求項４の放射開口部に炭素系面抵抗カバーを覆い５０℃で放熱させた表である。
【０００５】
【表−１】
0003146098.tif 000006
【０００６】
【表−２】
0003146098.tif 000007
【０００７】    請求項１は、個人が自由に治療できる軽量構造で、治療効果が高い特徴として、器体部にセラミックヒーターが熱源として内蔵されており、遠赤外線を放射する特殊形状の開口部には伝導性のあるアルミ板にセラミック塗料、カーボン塗料、等の遠赤外線放射塗料を装着し、身体治療に有効な深達力を有する遠赤外線波長の８μｍ〜９μｍを放射する放射輝度は、セラミックは７０℃以上で炭素系面発熱体（カーボン面発熱体）は５０℃以上の放射温度が必要となる。又開口部には治療温度検出素子を具え、コントローラーの治療温度標示器に伝導されている。更に身体背面部の治療が便利な構造として、把持部を内側に屈折させておりその把持部から電源コードが延長され中間部に温度制御装置、ＯＮ・ＯＦＦ装置、治療温度標示器が装着されたコントローラーからなる構成の温熱治療器を提供する。
【０００８】    請求項２は、前記遠赤外線を放射する特殊形状の開口部の構造は、中央先端部が突出するように周辺を４面で形成した形状をなし、当該放射開口部で身体皮膚面を前後左右に回転圧接治療するために、放射面からは拡散放射と屈折放射をもたらすため、治療する際、放射熱は人骨を外し疾患部位に深達放射効果をもたらすと共に、放射開口部の中央突端で圧接治療することで指圧効果と針灸効果をもたらしてなる請求項１の温熱治療器を提供する。
【０００９】    請求項３は、前記セラミック塗料を装着した放射開口部からは、熱源から７０℃以上の放射輝度で遠赤外線放出量の半分を占める８μｍ〜９μｍの波長を放射し、深達力を有するため、身体内疾患部位の検索治療に適し、皮膚面からの遠赤外線の放射が、身体内疾患部位の特殊波動と交流しても共振作用を起こさないため、治療皮膚面に強烈な熱さの衝撃反応が生じるため、悪性疾患部位が検出される組合せ効果のある請求項１又は請求項２の温熱治療器を提供する。
【００１０】    請求項４は、前記セラミック塗料を装着した放射開口部から放射する温度が５０℃以上あれば、深達力のある有効な８μｍ〜９μｍの波長を放射する構成として、放射開口部を全面覆うカバー袋を装着した構造とし、該カバー袋にはカーボン塗料を含浸・乾燥させるか又は炭素系面抵抗体を内設させ、放射熱がカバー袋を通過することにより炭素系面発熱体からの遠赤外線が放射される組合せにしたことにより、５０℃〜８０℃の温度による悪性疾患部位の検出、又は３７℃〜８０℃の温度範囲で幾度も繰り返し放射治療することで疾患腫瘍部位の縮小又は消滅効果をもたらしてなる請求項１又は請求項２の温熱治療器を提供する。
【考案の効果】
【００１１】    考案の目的は、温熱治療器を身体皮膚面に接触放射させるだけの簡単な治療器を家庭内の全員が治療出来て、日常不安な箇所を検索し、不審に思えば一日も早く精密検査することで早期に疾患腫瘍部が発見できる画期的な考案として提供する。
「通称ア・チチ検索器ともいう」更に、早期ガンは幾度も繰り返し放射することで抹消されたり、又は肥大したガンも同様な治療で縮小する。最初は熱く感じる温度も快適な温度に変化したときは効果があった証しである。
【実施例１】
【００１２】    例えば図１は、構造的にはセラミックヒータを熱源とし、放射開口部２は、身体の背面でも圧接できるように多少湾曲にした把持部１が具備され、ＡＢＳ樹脂を用い軽量で長い構造とした。
開口部２は、アルミニューム板２ａに遠赤外線放射塗料２ｂを塗布した塗料板で四面構成にし突端部２ｃが設けられている。
前記四面構造は拡散放射と屈曲放射をもたらし深達力を有する。この開口部２からは７０℃の放射温度で８μｍ〜９μｍの有効な遠赤外線が放射される。この装置の電源ｇまでの中間部にコントローラー３が具備されＯＮ・ＯＦＦスイッチ３ｃと治療温度標示器３ａ並び温度制御装置３ｂが設けられている。
【産業上の利用可能性】
【００１３】    現状ガンの発見は健康診断又は人間ドックにより判明されている。ガンの死亡率は４０％と多く、早期発見されれば７０％の確率で助かると言われています。
７０℃〜８０℃の高温を照射してガン腫瘍部位を検索する装置など想像されていなかった。人間からも静電気、マイクロ波等の外に遠赤外線の有効波長か５０％放射している事と、ガン細胞からは強力なエネルギーの波動が放射しています。
本案は、身体に深達力をもつ遠赤外線を測定した結果、セラミック放射体は７０℃〜８０℃の高温で８μｍ〜９μｍ波長が放射している。
この波長は遠赤外線の熱放出量の半分を占める効果を持ち、深達力を有する。この波長をガン腫瘍部位からの波動と交流させると皮膚面に強烈な熱さの衝撃があり、ガン腫瘍部位が発見される。医学会にも画期的な治療法として提供したい。
【図面の簡単な説明】
【００１４】
【図１】温熱治療器の斜面図である。
【符号の説明】
【００１５】１…把持部
２…放射開口部
２ａ…アルミニューム
２ｂ…セラミック塗料
２ｃ…突端部
３…コントローラー
３ａ…治療温度標示器
３ｂ…温度制御装置
３ｃ…ＯＮ・ＯＦＦスイッチ
ｅ…電源コード
ｇ…差込みプラグ